(57)【要約】【課題】投資取引に不慣れなユーザであっても、適切な参照ユーザに追従した投資取引を実行可能にする。【解決手段】第１の特徴に係る投資取引代行システムは、参照ユーザが行った投資取引に追従して、前記参照ユーザを選択した追従ユーザの投資取引を自動実行する投資取引代行システムであって、前記追従ユーザの取引口座の残高情報を取得する残高情報取得部と、前記取得された残高情報に基づいて、前記参照ユーザの候補である複数の候補ユーザの中から、前記追従ユーザに推奨する推奨候補ユーザを選択する推奨候補ユーザ選択部と、前記選択された推奨候補ユーザを示す情報を前記追従ユーザの端末装置に表示させる表示制御部と、を備える。【選択図】図５
2019185270.tif 000002
【特許請求の範囲】
【請求項１】
参照ユーザが行った投資取引に追従して、前記参照ユーザを選択した追従ユーザの投資取引を自動実行する投資取引代行システムであって、
前記追従ユーザの取引口座の残高情報を取得する残高情報取得部と、
前記取得された残高情報に基づいて、前記参照ユーザの候補である複数の候補ユーザの中から、前記追従ユーザに推奨する推奨候補ユーザを選択する推奨候補ユーザ選択部と、
前記選択された推奨候補ユーザを示す情報を前記追従ユーザの端末装置に表示させる表示制御部と、を備える、
投資取引代行システム。
【請求項２】
前記推奨候補ユーザ選択部は、前記追従ユーザの取引口座の残高のうち所定割合以上の残高が所定期間において運用されていないときに、前記推奨候補ユーザを選択する、
請求項１に記載の投資取引代行システム。
【請求項３】
前記追従ユーザが選択している参照ユーザの数を取得する参照ユーザ数取得部をさらに備え、
前記推奨候補ユーザ選択部は、前記取得された参照ユーザの数が閾値以下である場合に、前記推奨候補ユーザを選択する、
請求項１又は２に記載の投資取引代行システム。
【請求項４】
前記複数の候補ユーザのそれぞれが追従ユーザに対して設定した最低投資額を取得する最低投資額取得部をさらに備え、
前記推奨候補ユーザ選択部は、前記残高情報に基づいて、前記複数の候補ユーザの中から、前記追従ユーザの取引口座の残高以下の前記最低投資額を設定している候補ユーザを前記推奨候補ユーザとして選択する、
請求項１乃至３のいずれか１項に記載の投資取引代行システム。
【請求項５】
前記推奨候補ユーザ選択部は、前記追従ユーザの取引口座の残高以下の前記最低投資額を設定している候補ユーザが複数存在する場合に、当該複数の候補ユーザの中から投資取引における利益率又は利益額が最も高い候補ユーザを前記推奨候補ユーザとして選択する、
請求項４に記載の投資取引代行システム。
【請求項６】
前記追従ユーザが複数の参照ユーザを選択している場合において、前記追従ユーザが前記複数の参照ユーザのそれぞれに設定した投資額と、前記複数の参照ユーザのそれぞれが前記追従ユーザに対して設定する最高投資額とを取得する最高投資額取得部と、
前記複数の参照ユーザのうち前記追従ユーザの投資額が前記最高投資額に達していない参照ユーザを、前記追従ユーザに追加投資を推奨する推奨参照ユーザとして選択する推奨参照ユーザ選択部と、をさらに備え、
前記表示制御部は、前記推奨参照ユーザとして選択された参照ユーザを示す情報を前記追従ユーザの端末装置に表示させる、
請求項１乃至５のいずれか１項に記載の投資取引代行システム。
【請求項７】
前記複数の候補ユーザのそれぞれについて、当該候補ユーザの投資取引の利益率又は利益額と、当該候補ユーザを選択している追従ユーザの数とに基づいてランキングを生成するランキング生成部をさらに備え、
前記表示制御部は、前記生成されたランキングを前記追従ユーザの端末装置に表示させる、
請求項１乃至６のいずれか１項に記載の投資取引代行システム。
【請求項８】
前記複数の候補ユーザのそれぞれについてリスクを判定し、判定したリスクの度合いを表すリスク指標値を生成するリスク判定部をさらに備え、
前記リスク判定部は、リスク判定時点までの過去一定期間における候補ユーザの投資取引の損失率に基づいて、当該候補ユーザのリスクを判定し、
前記表示制御部は、前記生成されたリスク指標値を前記追従ユーザの端末装置に表示させる、
請求項１乃至７のいずれか１項に記載の投資取引代行システム。
【請求項９】
前記リスク判定部は、前記過去一定期間における、前記候補ユーザが決済して生じた損失額と、前記候補ユーザが未だ決済していない投資取引注文における含み損失額とに基づいて、前記候補ユーザのリスクを判定する、
請求項８に記載の投資取引代行システム。
【請求項１０】
前記追従ユーザが前記参照ユーザを選択する際に、当該参照ユーザに追従する投資取引を実行することで得られる利益額を次の投資取引に用いるか否かを設定する利益投資設定部をさらに備える、
請求項１乃至９のいずれか１項に記載の投資取引代行システム。
【請求項１１】
前記参照ユーザを選択している追従ユーザの数が、前記参照ユーザにより設定された上限値に達した場合に、前記参照ユーザを新たに追従ユーザが選択することを禁止する選択禁止部をさらに備える、
請求項１乃至１０のいずれか１項に記載の投資取引代行システム。
【請求項１２】
前記参照ユーザを選択している追従ユーザが前記参照ユーザに追従した投資取引により得た利益額に応じて、前記参照ユーザにインセンティブを付与するインセンティブ付与部をさらに備える、
請求項１乃至１１のいずれか１項に記載の電子取引代行システム。
【請求項１３】
ユーザが取引口座を有する電子取引所を表す取引所情報と、前記取引口座を用いた投資取引に必要な口座認証情報とをユーザごとに登録するユーザ情報登録部と、
第１のユーザが第２のユーザの参照ユーザとして選択された場合に、前記第１のユーザと前記第２のユーザとを関連付けるユーザ関連付け部と、
前記第１のユーザに対応する前記取引所情報及び前記口座認証情報に基づいて、前記第１のユーザが取引口座を有する第１の電子取引所から、前記第１のユーザが前記第１の電子取引所において行った投資取引の内容を示す取引情報を取得する取引情報取得部と、
前記取得した取引情報と、前記第２のユーザに対応する前記取引所情報及び前記口座認証情報とに基づいて、前記第２のユーザが取引口座を有する第２の電子取引所において、前記第１のユーザが行った投資取引に対応する投資取引を自動実行する取引実行部と、をさらに備える、
請求項１乃至１２のいずれか１項に記載の投資取引代行システム。
【請求項１４】
参照ユーザが行った投資取引に追従して、前記参照ユーザを選択した追従ユーザの投資取引を自動実行する情報処理装置であって、
前記追従ユーザの取引口座の残高情報を取得する残高情報取得部と、
前記取得された残高情報に基づいて、前記参照ユーザの候補である複数の候補ユーザの中から、前記追従ユーザに推奨する推奨候補ユーザを選択する推奨候補ユーザ選択部と、
前記選択された推奨候補ユーザを示す情報を前記追従ユーザの端末装置に表示させる表示制御部と、を備える、
情報処理装置。
【請求項１５】
参照ユーザが行った投資取引に追従して、前記参照ユーザを選択した追従ユーザの投資取引を自動実行する投資取引代行方法であって、
前記追従ユーザの取引口座の残高情報を取得するステップと、
前記取得された残高情報に基づいて、前記参照ユーザの候補である複数の候補ユーザの中から、前記追従ユーザに推奨する推奨候補ユーザを選択するステップと、
前記選択された推奨候補ユーザを示す情報を前記追従ユーザの端末装置に表示させるステップと、を備える、
投資取引代行方法。
【請求項１６】
参照ユーザが行った投資取引に追従して、前記参照ユーザを選択した追従ユーザの投資取引を自動実行する情報処理装置に、
前記追従ユーザの取引口座の残高情報を取得する処理と、
前記取得された残高情報に基づいて、前記参照ユーザの候補である複数の候補ユーザの中から、前記追従ユーザに推奨する推奨候補ユーザを選択する処理と、
前記選択された推奨候補ユーザを示す情報を前記追従ユーザの端末装置に表示させる処理と、を実行させる、
投資取引代行プログラム。
【発明の詳細な説明】
【技術分野】
【０００１】
本発明は、投資取引代行システム、情報処理装置、投資取引代行方法、投資取引代行プログラムに関する。
【背景技術】
【０００２】
特許文献１には、電気通信回線を介して為替取引や株式取引等の投資取引を行うシステムにおいて、第１のユーザ（参照ユーザ）の投資取引の内容をコピーし、この取引内容に追従して第２のユーザ（追従ユーザ）の投資取引を自動的に行う方法が記載されている。かかる投資取引代行の方法は、コピートレード（又はミラートレード）と称されることがある。
【先行技術文献】
【特許文献】
【０００３】
【特許文献１】米国特許出願公開第２０１３／００６０６７２号明細書
【発明の開示】
【発明が解決しようとする課題】
【０００４】
しかしながら、上述した投資取引代行システムにおいて、膨大な数の候補ユーザの中から、追従ユーザが適切な参照ユーザを選択することが難しいという問題がある。
【０００５】
追従ユーザが参照ユーザを選択することを補助するために、各候補ユーザの投資取引の実績情報を追従ユーザに提示することも考えられるが、投資取引に不慣れな追従ユーザが各候補ユーザの投資取引の実績情報を適切に理解及び分析することは極めて困難である。
【０００６】
そこで、本発明は、投資取引に不慣れなユーザであっても、適切な参照ユーザに追従した投資取引を実行可能にする投資取引代行システム、情報処理装置、投資取引代行方法、投資取引代行プログラムを提供することを目的とする。
【課題を解決するための手段】
【０００７】
第１の特徴に係る投資取引代行システムは、参照ユーザが行った投資取引に追従して、前記参照ユーザを選択した追従ユーザの投資取引を自動実行する投資取引代行システムであって、前記追従ユーザの取引口座の残高情報を取得する残高情報取得部と、前記取得された残高情報に基づいて、前記参照ユーザの候補である複数の候補ユーザの中から、前記追従ユーザに推奨する推奨候補ユーザを選択する推奨候補ユーザ選択部と、前記選択された推奨候補ユーザを示す情報を前記追従ユーザの端末装置に表示させる表示制御部と、を備える。
【０００８】
第１の特徴において、前記推奨候補ユーザ選択部は、前記追従ユーザの取引口座の残高のうち所定割合以上の残高が所定期間において運用されていないときに、前記推奨候補ユーザを選択する。
【０００９】
第１の特徴において、前記追従ユーザが選択している参照ユーザの数を取得する参照ユーザ数取得部をさらに備え、前記推奨候補ユーザ選択部は、前記取得された参照ユーザの数が閾値以下である場合に、前記推奨候補ユーザを選択してもよい。
【００１０】
第１の特徴において、前記複数の候補ユーザのそれぞれが追従ユーザに対して設定した最低投資額を取得する最低投資額取得部をさらに備え、前記推奨候補ユーザ選択部は、前記残高情報に基づいて、前記複数の候補ユーザの中から、前記追従ユーザの取引口座の残高以下の前記最低投資額を設定している候補ユーザを前記推奨候補ユーザとして選択してもよい。
【００１１】
第１の特徴において、前記推奨候補ユーザ選択部は、前記追従ユーザの取引口座の残高以下の前記最低投資額を設定している候補ユーザが複数存在する場合に、当該複数の候補ユーザの中から投資取引における利益率又は利益額が最も高い候補ユーザを前記推奨候補ユーザとして選択してもよい。
【００１２】
第１の特徴において、前記追従ユーザが複数の参照ユーザを選択している場合において、前記追従ユーザが前記複数の参照ユーザのそれぞれに設定した投資額と、前記複数の参照ユーザのそれぞれが前記追従ユーザに対して設定する最高投資額とを取得する最高投資額取得部と、前記複数の参照ユーザのうち前記追従ユーザの投資額が前記最高投資額に達していない参照ユーザを、前記追従ユーザに追加投資を推奨する推奨参照ユーザとして選択する推奨参照ユーザ選択部と、をさらに備え、前記表示制御部は、前記推奨参照ユーザとして選択された参照ユーザを示す情報を前記追従ユーザの端末装置に表示させてもよい。
【００１３】
第１の特徴において、前記複数の候補ユーザのそれぞれについて、当該候補ユーザの投資取引の利益率又は利益額と、当該候補ユーザを選択している追従ユーザの数とに基づいてランキングを生成するランキング生成部をさらに備え、前記表示制御部は、前記生成されたランキングを前記追従ユーザの端末装置に表示させてもよい。
【００１４】
第１の特徴において、前記複数の候補ユーザのそれぞれについてリスクを判定し、判定したリスクの度合いを表すリスク指標値を生成するリスク判定部をさらに備え、前記リスク判定部は、リスク判定時点までの過去一定期間における候補ユーザの投資取引の損失額に基づいて、当該候補ユーザのリスクを判定し、前記表示制御部は、前記生成されたリスク指標値を前記追従ユーザの端末装置に表示させてもよい。
【００１５】
第１の特徴において、前記リスク判定部は、前記過去一定期間における、前記候補ユーザが決済して生じた損失額と、前記候補ユーザが未だ決済していない投資取引注文における含み損失額とに基づいて、前記候補ユーザのリスクを判定してもよい。
【００１６】
第１の特徴において、前記追従ユーザが前記参照ユーザを選択する際に、当該参照ユーザに追従する投資取引を実行することで得られる利益額を次の投資取引に用いるか否かを設定する利益投資設定部をさらに備えてもよい。
【００１７】
第１の特徴において、前記参照ユーザを選択している追従ユーザの数が、前記参照ユーザにより設定された上限値に達した場合に、前記参照ユーザを新たに追従ユーザが選択することを禁止する選択禁止部をさらに備えてもよい。
【００１８】
第１の特徴において、前記参照ユーザを選択している追従ユーザが前記参照ユーザに追従した投資取引により得た利益額に応じて、前記参照ユーザにインセンティブを付与するインセンティブ付与部をさらに備えてもよい。
【００１９】
第１の特徴において、ユーザが取引口座を有する電子取引所を表す取引所情報と、前記取引口座を用いた投資取引に必要な口座認証情報とをユーザごとに登録するユーザ情報登録部と、第１のユーザが第２のユーザの参照ユーザとして選択された場合に、前記第１のユーザと前記第２のユーザとを関連付けるユーザ関連付け部と、前記第１のユーザに対応する前記取引所情報及び前記口座認証情報に基づいて、前記第１のユーザが取引口座を有する第１の電子取引所から、前記第１のユーザが前記第１の電子取引所において行った投資取引の内容を示す取引情報を取得する取引情報取得部と、前記取得した取引情報と、前記第２のユーザに対応する前記取引所情報及び前記口座認証情報とに基づいて、前記第２のユーザが取引口座を有する第２の電子取引所において、前記第１のユーザが行った投資取引に対応する投資取引を自動実行する取引実行部と、をさらに備えてもよい。
【００２０】
第２の特徴に係る情報処理装置は、参照ユーザが行った投資取引に追従して、前記参照ユーザを選択した追従ユーザの投資取引を自動実行する情報処理装置であって、前記追従ユーザの取引口座の残高情報を取得する残高情報取得部と、前記取得された残高情報に基づいて、前記参照ユーザの候補である複数の候補ユーザの中から、前記追従ユーザに推奨する推奨候補ユーザを選択する推奨候補ユーザ選択部と、前記選択された推奨候補ユーザを示す情報を前記追従ユーザの端末装置に表示させる表示制御部と、を備える。
【００２１】
第３の特徴に係る投資取引代行方法は、参照ユーザが行った投資取引に追従して、前記参照ユーザを選択した追従ユーザの投資取引を自動実行する投資取引代行方法であって、前記追従ユーザの取引口座の残高情報を取得するステップと、前記取得された残高情報に基づいて、前記参照ユーザの候補である複数の候補ユーザの中から、前記追従ユーザに推奨する推奨候補ユーザを選択するステップと、前記選択された推奨候補ユーザを示す情報を前記追従ユーザの端末装置に表示させるステップと、を備える。
【００２２】
第４の特徴に係る投資取引代行プログラムは、参照ユーザが行った投資取引に追従して、前記参照ユーザを選択した追従ユーザの投資取引を自動実行する情報処理装置に、前記追従ユーザの取引口座の残高情報を取得する処理と、前記取得された残高情報に基づいて、前記参照ユーザの候補である複数の候補ユーザの中から、前記追従ユーザに推奨する推奨候補ユーザを選択する処理と、前記選択された推奨候補ユーザを示す情報を前記追従ユーザの端末装置に表示させる処理と、を実行させる。
【発明の効果】
【００２３】
本発明によれば、投資取引に不慣れなユーザであっても、適切な参照ユーザに追従した投資取引を実行可能にする投資取引代行システム、情報処理装置、投資取引代行方法、投資取引代行プログラムを提供できる。
【図面の簡単な説明】
【００２４】
【図１】実施形態に係る投資取引代行システムの構成を示す図である。
【図２】実施形態に係る仮想通貨取引代行装置の構成を示す図である。
【図３】実施形態に係るユーザ情報登録部により登録されるユーザ情報の一例を示す図である。
【図４】実施形態に係るユーザ関連付け部により登録されるフォロワー情報の一例を示す図である。
【図５】実施形態に係る推奨ユーザ提案部の構成を示す図である。
【図６】実施形態に係るフォロワー用のホーム画面の一例を示す図である。
【図７】実施形態に係るトレーダー用のホーム画面の一例を示す図である。
【図８】実施形態に係る取引所設定画面の一例を示す図である。
【図９】実施形態に係る取引所設定の変更画面の一例を示す図である。
【図１０】実施形態に係るトレーダーランキング画面の一例を示す図である。
【図１１】実施形態に係るフォロー登録画面の一例を示す図である。
【図１２】実施形態に係るフォローリスト画面の一例を示す図である。
【図１３】実施形態に係る推奨トレーダー提案画面の一例を示す図である。
【図１４】実施形態に係る仮想通貨取引代行装置の動作フローの一例を示す図である。
【発明を実施するための形態】
【００２５】
図面を参照して、本発明の実施形態を説明する。以下の実施形態における図面において、同一又は類似の部分には同一又は類似の符号を付す。
【００２６】
本実施形態に係る投資取引代行システムは、仮想通貨を取引対象とする投資取引代行システムである。仮想通貨とは、インターネットを通じて物品やサービスの対価に使用でき、中央銀行などの公的な発行主体や管理者が存在せず、専門の仮想通貨取引所を介して法定通貨（円やドル・ユーロ・人民元など）と交換可能なものをいう。仮想通貨の種類は複数存在する。なお、仮想通貨は、暗号通貨と称されることもある。
【００２７】
（１）システム構成
本実施形態に係る投資取引代行システムの構成について説明する。図１は、本実施形態に係る投資取引代行システムの構成を示す図である。
【００２８】
図１に示すように、本実施形態に係る投資取引代行システムは、複数の端末装置１０ａ〜１０ｃと、複数の仮想通貨取引所２０ａ〜２０ｃと、仮想通貨取引代行装置１とを備える。端末装置１０、仮想通貨取引所２０、及び仮想通貨取引代行装置１は、インターネット等の通信ネットワーク２を介して通信を行う。図１において、３つの端末装置１０ａ〜１０ｃを図示しているが、端末装置１０の数は２つであってもよいし、４以上であってもよい。また、３つの仮想通貨取引所２０ａ〜２０ｃを図示しているが、仮想通貨取引所２０の数は１つ又は２つであってもよいし、４以上であってもよい。
【００２９】
端末装置１０は、本実施形態に係る投資取引代行システムを利用するユーザが所持する端末装置であって、例えば、パーソナルコンピュータ（ＰＣ）、スマートフォン、又はタブレット端末等である。各端末装置１０は、表示部、処理部、記憶部、及び通信部等を含んで構成される。ユーザは、自身の端末装置１０を用いて、通信ネットワーク２を介して、仮想通貨取引所２０及び仮想通貨取引代行装置１と情報をやり取りする。
【００３０】
仮想通貨取引所２０は、仮想通貨と法定通貨との交換や、一の仮想通貨と他の仮想通貨との交換に係る投資取引（以下、「仮想通貨取引」という）のための電子取引所である。各仮想通貨取引所２０は、運営主体が互いに異なる。ユーザは、いずれかの仮想通貨取引所２０に取引口座を開設し、その電子取引所内で自身の取引口座を用いて仮想通貨取引を行う。各仮想通貨取引所２０は、少なくとも１つのサーバ装置を含んで構成される。
【００３１】
仮想通貨取引代行装置１は、仮想通貨取引所２０の運営主体とは異なる運営主体により運営されるサーバ装置（情報処理装置）であって、異なる仮想通貨取引所間におけるコピートレードを実現可能にする。コピートレードとは、参照ユーザの仮想通貨取引の内容をコピーし、参照ユーザの取引内容に従って他のユーザ（追従ユーザ）の仮想通貨取引を自動的に行う方法をいう。また、参照ユーザとは、他のユーザにより取引内容が参照されるユーザをいう。参照ユーザは、「トレーダー」、「マスタ」、又は「ストラテジ」等と称されるが、以下において、かかる参照ユーザを「トレーダー」と称する。トレーダーの取引内容を参照して追従する追従ユーザを「フォロワー」と称する。
【００３２】
（２）仮想通貨取引代行装置の構成
本実施形態に係る仮想通貨取引代行装置１の構成について説明する。図２は、本実施形態に係る仮想通貨取引代行装置１の構成を示す図である。
【００３３】
図２に示すように、仮想通貨取引代行装置１は、処理部１００と、通信部２００と、記憶部３００とを備える。
【００３４】
処理部１００は、少なくとも１つのプロセッサを含んで構成される。処理部１００は、記憶部３００に記憶されたプログラムを実行することにより、後述する各種の処理を実行する。
【００３５】
通信部２００は、通信ネットワーク２に接続されており、通信ネットワーク２を介して複数の端末装置１０及び複数の仮想通貨取引所２０との通信を行う。本実施形態において、通信部２００が複数の仮想通貨取引所２０との通信を行う一例を説明するが、通信部２００が１つの仮想通貨取引所２０とのみ通信を行う構成であってもよい。
【００３６】
記憶部３００は、揮発性記憶媒体及び不揮発性記憶媒体を含んで構成される。記憶部３００は、処理部１００により実行されるプログラムを記憶するとともに、処理部１００における処理に用いられる情報を記憶する。
【００３７】
処理部１００は、基本構成として、ユーザ情報登録部１０１と、ユーザ関連付け部１０２と、取引情報取得部１０３と、取引実行部１０４とを備える。
【００３８】
ユーザ情報登録部１０１は、ユーザが取引口座を有する仮想通貨取引所を表す取引所情報と、取引口座を用いた仮想通貨取引に必要な口座認証情報とをユーザごとに登録する。例えば、ユーザ情報登録部１０１は、ユーザの端末装置１０に取引所設定画面を表示させ、取引所情報及び口座認証情報をこの端末装置１０から取得し、取得した取引所情報及び口座認証情報をこのユーザのユーザ識別情報と共に記憶部３００に格納する。また、ユーザ情報登録部１０１は、ユーザ情報の登録後、ユーザからの要求に応じて、登録されているユーザ情報を更新する。
【００３９】
図３は、ユーザ情報登録部１０１により登録されるユーザ情報の一例を示す図である。図３に示すように、ユーザ情報は、ユーザ識別情報と、取引所情報と、口座認証情報と、トレーダー登録有無とを含む。
【００４０】
ここで、ユーザ識別情報は、ユーザの氏名及び／又はニックネームである。ニックネームは、システム上で取り扱われる名前であって、ユーザの匿名性を保つために用いられる。取引所情報は、ユーザが取引口座を有する仮想通貨取引所の名前又はＩＤである。口座認証情報は、この仮想通貨取引所において発行される認証キー（ＡＰＩキー及び／又はシークレットアクセスキー）を含む。トレーダー登録有無は、ユーザがトレーダーとして登録されているか否かを示す。トレーダーとして登録されたユーザは自ら仮想通貨取引を行うが、トレーダーとして登録されていないユーザは自ら仮想通貨取引を行わずにフォロワーとして扱われ、選択したトレーダーの仮想通貨取引に追従する。
【００４１】
なお、トレーダーとして登録されているユーザは、自身のフォロワーの上限数を設定可能である。トレーダーは、自身が心理的に大きなリスクを負いたくない場合にフォロワー上限数を設定可能であるため、トレーダーの心理的な負担を軽減できる。
【００４２】
また、トレーダーとして登録されているユーザは、自身のフォロワーの投資可能額として、最高投資額（上限額）及び最低投資額（下限額）を設定可能である。具体的には、トレーダーとして登録されているユーザは、自身を選択して投資する全フォロワーの投資額の合計に対する上限額である累計フォロー投資上限額と、フォロワー一人あたりの投資上限額と、フォロワー一人あたりの投資下限額とを設定可能である。
【００４３】
かかる設定により、次のような効果が得られる。１）トレーダーのトレードスタイルにより、フォロワーの投資額の適正範囲が変わるので、トレーダー自身に自分のトレードスタイルに合う範囲を設定してもらうことができる。２）トレーダー自身が大きな心理的リスクを負いたくない場合にトレーダーが上限を設定できる。３）後述するようにフォロワーの利益額に応じてトレーダーに対するインセンティブ（報酬額）が定まるため、フォロー投資額の単価を上げることによりトレーダーが報酬増加を見込むことができる。
【００４４】
ユーザ関連付け部１０２は、第１のユーザが第２のユーザの参照ユーザ（トレーダー）として選択された場合に、第１のユーザと第２のユーザとを関連付ける。ここで、第１のユーザは自身をトレーダーとして登録しているユーザであり、第２のユーザは自身をトレーダーとして登録していないユーザである。第２のユーザは、トレーダーを選択することによりこのトレーダーのフォロワーになり、このトレーダーの仮想通貨取引に追従（フォロー）する。
【００４５】
詳細については後述するが、トレーダーを選択するためのトレーダーランキング画面をフォロワーの端末装置１０に表示させる。フォロワーがランキングに応じてトレーダーを選択した場合、ユーザ関連付け部１０２は、このトレーダーと関連付けてフォロワーを登録し、記憶部３００に記憶されたフォロワー登録情報を更新する。また、詳細については後述するが、仮想通貨取引代行装置１が選択した推奨トレーダーを提案するための推奨トレーダー提案画面をフォロワーの端末装置１０に表示させる。フォロワーがこの提案を受け入れてトレーダーを選択した場合、ユーザ関連付け部１０２は、このトレーダーと関連付けてフォロワーを登録し、記憶部３００に記憶されたフォロワー登録情報を更新する。
【００４６】
図４は、ユーザ関連付け部１０２により登録されるフォロワー情報の一例を示す図である。図４に示す例において、フォロワー情報は、トレーダーであるユーザＡの識別情報と、ユーザＡのフォロワーであるユーザＢ、Ｃ、Ｄのそれぞれの識別情報とを含む。
【００４７】
なお、フォロワーは、トレーダーの選択を解除することが可能である。例えば、フォロワーは、自身の端末装置１０を用いて、自身が選択したトレーダーのいずれかを指定して「フォロー解除」の操作を行うことにより、このトレーダーを選択した状態が解除される。また、フォロワーは、トレーダーを選択した状態を維持しつつ、このトレーダーの仮想通貨取引に追従（フォロー）することを一時的に停止することが可能である。例えば、フォロワーは、自身の端末装置１０を用いて、自身が選択したトレーダーのいずれかを指定して「フォロー停止」の操作を行うことにより、このトレーダーを選択した状態を維持しつつ、このトレーダーについてのコピートレードを停止する。
【００４８】
取引情報取得部１０３は、トレーダーに対応する取引所情報及び口座認証情報に基づいて、このトレーダーが取引口座を有する第１の仮想通貨取引所から、このトレーダーが第１の仮想通貨取引所において行った仮想通貨取引の内容を示す取引情報を取得する。例えば、取引情報取得部１０３は、トレーダーに対応する取引所情報に基づいて、このトレーダーが取引口座を有する第１の仮想通貨取引所を特定する。そして、取引情報取得部１０３は、トレーダーに対応する口座認証情報に基づいて、第１の仮想通貨取引所におけるトレーダーの取引口座にアクセスし、このトレーダーの取引情報を取得する。なお、トレーダーが第１の仮想通貨取引所において行った仮想通貨取引の内容とは、例えば、トレーダーが仮想通貨ＡをＸ円分購入（投資）する注文を行ったという内容や、トレーダーが仮想通貨ＢをＹ円分売却する注文を行ったという内容などである。
【００４９】
取引実行部１０４は、取引情報取得部１０３が取得したトレーダーの取引情報と、このトレーダーのフォロワーに対応する取引所情報及び口座認証情報とに基づいて、このフォロワーが取引口座を有する第２の仮想通貨取引所において、トレーダーが行った仮想通貨取引に対応する仮想通貨取引を自動実行する。例えば、取引実行部１０４は、フォロワーに対応する取引所情報に基づいて、このフォロワーが取引口座を有する第２の仮想通貨取引所を特定する。特定された第２の仮想通貨取引所は、第１の仮想通貨取引所と同じ仮想通貨取引所であってもよいし、第１の仮想通貨取引所とは異なる仮想通貨取引所であってもよい。そして、取引実行部１０４は、フォロワーに対応する口座認証情報に基づいて、第２の仮想通貨取引所におけるフォロワーの取引口座にアクセスし、トレーダーが行った仮想通貨取引に対応する仮想通貨取引を自動実行（すなわち、コピートレード）する。例えば、トレーダーが仮想通貨Ａを購入（投資）する注文を行った場合には、フォロワーの注文として仮想通貨Ａを購入する注文を行う。
【００５０】
一般的にはトレーダー及びフォロワーは資産規模が一致しないため、フォロワーの仮想通貨Ａの購入額（投資額）は、トレーダーの資産額に対する購入額（投資額）の割合に応じて定められる。例えば、トレーダーが自身の資産額の３０％を仮想通貨Ａに投資した場合、取引実行部１０４は、このトレーダーに対してフォロワーが設定した投資額の３０％を仮想通貨Ａに投資する。なお、トレーダーの資産額が入出金などで変動した場合には、「計算タイミングでの利益額＝（入金後の投資額−入金前の利益額）/入金前の投資額×入金前の利益額」により利益額を計算する。
【００５１】
さらに、処理部１００は、ランキング生成部１０５と、推奨ユーザ提案部１０６と、リスク判定部１０７と、利益取引設定部１０８と、選択禁止部１０９と、インセンティブ付与部１１０と、表示制御部１１１とを更に備える。
【００５２】
ランキング生成部１０５は、複数の候補ユーザ（トレーダーとして登録した複数のユーザ）のそれぞれについて、フォロワーがフォローすべきトレーダーを選択するために用いるランキングを生成する。ランキング生成部１０５は、トレーダーの仮想通貨取引の利益率又は利益額と、このトレーダーを選択しているフォロワーの数とに基づいて、このトレーダーのランキングを生成する。
【００５３】
ここで、利益率は、例えば、過去一定期間における、仮想通貨の投資額に対する、仮想通貨の差金決済取引の損益額の割合として求められる。利益額は、例えば、過去一定期間における、差金決済取引により発生した損益額の合計として求められる。ランキング生成部１０５は、仮想通貨取引の利益率又は利益額が高い順に暫定的なランキングを生成し、利益率又は利益額が同じ又は近似するトレーダー間ではフォロワー数が多いほどランキングが高くなるように修正することにより、最終的なランキングを生成する。或いは、ランキング生成部１０５は、フォロワー数が多い順に暫定的なランキングを生成し、フォロワー数が同じ又は近似するトレーダー間では利益率又は利益額が高いほどランキングが高くなるように修正することにより、最終的なランキングを生成してもよい。
【００５４】
ランキング生成部１０５は、利益率のみを基準としたランキングと、利益額のみを基準としたランキングと、フォロワー数のみを基準としたランキングとを別々に生成してもよい。かかる場合、ランキング生成部１０５は、ユーザが端末装置１０を用いて行うランキング切り替え操作に応じて、この端末装置１０に表示させるランキングを切り替えてもよい。
【００５５】
なお、ランキング生成部１０５は、ランキングの値が同じ場合には、そのランキングへの到達日時が早いユーザを上位として扱う。
【００５６】
ランキング生成部１０５により生成されたランキングは、フォロワーの端末装置１０においてトレーダーランキング画面等で表示される。なお、ランキングは、端末装置１０においてホーム画面中で表示されてもよい。このようにしてランキングを生成及び表示することにより、フォロワーは、仮想通貨取引に関する十分な知識を必要とすることなく、自身の投資スタイルに合った最適なトレーダーを容易に選択できる。
【００５７】
推奨ユーザ提案部１０６は、フォロワーがフォローするトレーダーの候補である複数の候補トレーダーの中から、このフォロワーに推奨する推奨候補トレーダー（推奨候補ユーザ）を選択し、選択した推奨候補トレーダーをこのフォロワーに提案する処理を行う。また、推奨ユーザ提案部１０６は、フォロワーに追加投資を推奨する推奨参照ユーザ（推奨トレーダー）として選択し、選択した推奨トレーダーをこのフォロワーに提案する処理を行う。具体的には、推奨ユーザ提案部１０６が選択した推奨候補トレーダー及び／又は推奨候補トレーダーを示すユーザ識別情報を表示制御部１１１がフォロワーの端末装置１０に表示させることによりこのフォロワーに提案する。推奨ユーザ提案部１０６は、フォロワーの取引口座の残高のうち所定割合（例えば、２０％）以上の残高が所定期間（例えば、２４時間）において運用されていないときに、かかる提案処理を行う。推奨ユーザ提案部１０６の詳細については後述する。
【００５８】
リスク判定部１０７は、複数の候補トレーダー（トレーダーとして登録した複数のユーザ）のそれぞれについてリスクを判定し、判定したリスクを表すリスク指標値を生成する。リスク判定部１０７は、リスク判定時点までの過去一定期間における候補トレーダーの投資取引（差金決済取引）の損失率に基づいて、当該候補トレーダーのリスクを判定する。損失率とは、運用資産に対する最大損失額を割合で示したものをいう。そして、表示制御部１１１は、生成されたリスク指標値を追従ユーザの端末装置に表示させる。
【００５９】
本実施形態において、リスク判定部１０７は、過去一定期間における、候補トレーダーが決済して生じた損失額と、候補トレーダーが未だ決済していない投資取引注文における含み損失額とに基づいて、候補トレーダーのリスクを判定する。具体的には、リスク判定部１０７は、直近７日間の取引履歴における最高損失額（現在保有中のポジションも含む）からリスクを判定する。例えば、現在の損失が１０万円であり、現在の保有ポジションの含み損失が５万円である場合、合計損失１５万をリスク判定の判定基準として用いる。
【００６０】
なお、含み損失とは、仮想通貨の購入時の金額に対して、この仮想通貨の現時点の金額が下回っている場合において、仮想通貨の購入時の金額と現時点の金額との差分又は割合をいう。利益率や利益額が高いトレーダーであっても、このトレーダーが保有しているポジション（仮想通貨）に多額の含み損失が生じている場合には、このトレーダーをフォローすることは高リスクであるといえる。
【００６１】
表１に示すように、例えば、リスクを表すリスク指標値として複数の値が定められており、各値に最高損失額（又は最高損失率）の値の範囲が対応付けられている。表１の例においては、５つのリスク指標値が定められている。
【００６２】
【表１】
2019185270.tif 000003
【００６３】
表示制御部１１１は、リスク判定部１０７により生成されたリスク指標値をフォロワーの端末装置１０におけるトレーダーランキング画面等に表示させる。このようにしてリスク指標値を生成及び表示することにより、フォロワーは、リスクも考慮して、自身の投資スタイルに合った最適なトレーダーを選択できる。
【００６４】
利益取引設定部１０８は、フォロワーがトレーダーを選択する際に、取引実行部１０４により仮想通貨取引を自動実行（すなわち、コピートレード）することで得られる利益を次の仮想通貨取引に用いるか否かを設定する。例えば、利益取引設定部１０８は、フォロワーが端末装置１０を用いてトレーダーを選択した際に、フォロー登録画面をこの端末装置１０に表示させ、フォロー登録画面において「利益も投資にまわす」か否かの確認を促す。「利益も投資にまわす」ことが確認された場合、利益取引設定部１０８は、コピートレードにより得られる利益分の金額が投資額に加算されるよう設定する。一方で、「利益も投資にまわす」ことを確認されない場合、利益取引設定部１０８は、コピートレードにより得られる利益分の金額を投資額に加算せずに、利益額として保持する。これにより、フォロワーは、コピートレードにおける利益を確定させて保持するか又は利益を次の投資にまわして運用するかの選択を行うことができる。
【００６５】
選択禁止部１０９は、第１のユーザ（トレーダー）を選択したフォロワーの数が、このトレーダーにより設定された上限値に達した場合に、このトレーダーを新たに選択してフォローすることを禁止する。例えば、選択禁止部１０９は、あるトレーダーのフォロワー数が上限値に達した場合に、トレーダーランキング画面においてこのトレーダーを表示しない、又はこのトレーダーを選択するためのボタンを非表示にする。これにより、フォロワー数を上限値以下に抑えることができる。なお、選択禁止部１０９は、あるトレーダーのフォロワー数が、上限値に達した後、再び上限値を下回った場合には、禁止設定を解除し、このトレーダーをフォロワーが選択可能な状態に戻す。
【００６６】
インセンティブ付与部１１０は、トレーダーを選択したフォロワーのコピートレードによる利益額に応じて、このトレーダーにインセンティブを付与する。例えば、インセンティブ付与部１１０は、フォロワーの利益額の一部（５％など）をインセンティブとして付与する。
【００６７】
インセンティブ付与部１１０は、トレーダーからの要求に応じて、トレーダーにより設定された出金先口座に報酬額を振り込む。出金先口座は、仮想通貨取引所の取引口座であってもよいし、仮想通貨取引所の取引口座とは異なる銀行口座であってもよい。
【００６８】
表示制御部１１１は、後述する各種の表示画面を端末装置１０に表示させるための制御及び処理を行う。また、表示制御部１１１は、かかる表示画面において表示させるべき統計情報を生成し、生成した統計情報を端末装置１０に表示させる。
【００６９】
（３）推奨ユーザ提案部
推奨ユーザ提案部１０６は、フォロワーが未選択（未フォロー）の候補トレーダーの中から、このフォロワーにフォローを推奨するフォロー推奨候補トレーダーを提案したり、このフォロワーが選択中（フォロー中）のトレーダーの中から、このフォロワーに追加投資を推奨する追加投資推奨トレーダーを提案したりする処理を行う。ここでは、フォロワーが選択しているトレーダーの数が少ない場合にはフォロー推奨候補トレーダーを提案し、フォロワーが選択しているトレーダーの数が多い場合には追加投資推奨トレーダーを提案する一例について説明する。
【００７０】
図５は、本実施形態に係る推奨ユーザ提案部１０６の構成を示す図である。図５に示すように、推奨ユーザ提案部１０６は、参照ユーザ数取得部１０６ａと、残高情報取得部１０６ｂと、最低投資額取得部１０６ｃと、推奨候補ユーザ選択部１０６ｄと、最高投資額取得部１０６ｅと、推奨参照ユーザ選択部１０６ｆとを備える。
【００７１】
参照ユーザ数取得部１０６ａは、記憶部３００に記憶されたフォロワー登録情報に基づいて、フォロワーが選択しているトレーダー（フォロー中トレーダー）の数を取得する。例えば、フォロワーＡがトレーダーＢ，Ｃ，Ｄを選択したコピートレードを行う場合には、フォロワーＡのフォロー中トレーダーの数は３である。
【００７２】
残高情報取得部１０６ｂは、フォロワーの取引口座の残高情報を取得する。具体的には、残高情報取得部１０６ｂは、フォロワーの取引口座の残高のうち、このフォロワーが仮想通貨取引に用いていない残高（すなわち、未運用資金）を取得する。
【００７３】
最低投資額取得部１０６ｃは、記憶部３００に記憶されたユーザ情報に基づいて、複数の候補トレーダー（トレーダーとして登録した複数のユーザ）のそれぞれがフォロワーに対して設定した最低投資額を取得する。
【００７４】
推奨候補ユーザ選択部１０６ｄは、残高情報取得部１０６ｂにより取得された残高情報と、最低投資額取得部１０６ｃにより取得された最低投資額とに基づいて、複数の候補トレーダーの中から、フォロワーに推奨する推奨候補トレーダーを選択する。推奨候補ユーザ選択部１０６ｄは、このフォロワーのフォロー中トレーダー数が閾値以下である場合に限り、推奨候補トレーダーを選択してもよい。なお、推奨候補ユーザ選択部１０６ｄは、フォロワーの取引口座の残高のうち所定割合（例えば、２０％）以上の残高が所定期間（例えば、２４時間）において運用されていないことをトリガーとして、推奨候補トレーダーを選択する。
【００７５】
本実施形態において、推奨候補ユーザ選択部１０６ｄは、複数の候補ユーザの中から、フォロワーの取引口座の残高以下の最低投資額を設定している候補トレーダーを推奨候補トレーダーとして選択する。ここで、フォロワーの取引口座の残高以下の最低投資額を設定している候補トレーダーが複数存在する場合に、当該複数の候補トレーダーのうち仮想通貨取引の利益額又は利益率が最も高い候補トレーダーを推奨候補トレーダーとして選択する。
【００７６】
最高投資額取得部１０６ｅは、フォロワーが複数のトレーダーを選択している場合において、フォロワーが複数のトレーダーのそれぞれに設定した投資額と、複数のトレーダーのそれぞれがフォロワーに対して設定する最高投資額とを取得する。ここで、最高投資額は、全フォロワーの投資額の合計に対する上限額である累計フォロー投資上限額である。或いは、最高投資額は、フォロワー一人あたりの投資上限額であってもよい。
【００７７】
推奨参照ユーザ選択部１０６ｆは、フォロワーが選択中（フォロー中）の複数のトレーダーのうち投資額が最高投資額に達していないトレーダーを、フォロワーに追加投資を推奨する推奨トレーダーとして選択する。推奨参照ユーザ選択部１０６ｆは、このフォロワーのフォロー中トレーダー数が閾値を上回る場合に限り、追加投資を推奨する推奨トレーダーを選択してもよい。ここで、投資額が最高投資額に達していないフォロー中トレーダーが複数存在する場合に、当該複数のフォロー中トレーダーのうち仮想通貨取引の利益額又は利益率が高いフォロー中トレーダーを、追加投資を推奨するフォロー中トレーダーとして選択してもよい。
【００７８】
（４）表示画面の一例
次に、端末装置１０における表示画面の一例について説明する。
【００７９】
（４．１）フォロワー用のホーム画面の一例
図６は、端末装置１０を所持するユーザがフォロワーである場合のホーム画面の一例を示す図である。
【００８０】
図６に示すように、フォロワー用のホーム画面は、このフォロワーの取引情報を表示する領域Ｒ１１と、トップランキングを表示する領域Ｒ１２と、このフォロワーが登録したトレーダーの投資成績を表示する領域Ｒ１３と、このフォロワーの投資割合を表示する領域Ｒ１４とを含む。また、フォロワー用のホーム画面は、表示する通貨単位を仮想通貨（図６の例ではビットコイン）とするか又は法定通貨（図６の例では日本円）とするかを切り替える切り替えボタンＢ１１を含む。但し、ホーム画面及び他の表示画面において、表示する通貨単位を法定通貨（日本円）に固定してもよい。
【００８１】
領域Ｒ１１は、フォロワーの利益額及び利益率を棒グラフ及び折れ線グラフでそれぞれ表示する。時間軸（横軸）のスケールは、月単位、週単位、日単位等の中から選択可能である。
【００８２】
領域Ｒ１２は、ランキング生成部１０５により生成されたトレーダーのランキングのうち、上位所定数のトレーダーを表示する。表示するランキングは、利益率のランキング、利益額のランキング、フォロワー数のランキングの中から選択可能である。
【００８３】
領域Ｒ１３は、フォロワーが選択（登録）している各トレーダーの投資成績（利益率、利益額）を表示する。投資成績は、月単位、週単位、日単位等の中から選択可能である。なお、フォロワーとトレーダーとの関連付けは、ユーザ関連付け部１０２により管理される。
【００８４】
なお、領域Ｒ１２及びＲ１３において、各トレーダーは、トレーダーのアイコン及びニックネームで示される。トレーダーのアイコンには、このトレーダーが取引口座を有する仮想通貨取引所を表すシンボルが付されている。
【００８５】
領域Ｒ１４は、フォロワーの取引口座における資産のうち投資額が占める割合を円グラフで表示する。
【００８６】
（４．２）トレーダー用のホーム画面の一例
図７は、端末装置１０を所持するユーザがトレーダーである場合のホーム画面の一例を示す図である。
【００８７】
図７に示すように、トレーダー用のホーム画面は、フォロワー人数と獲得報酬（インセンティブ）の情報を表示する領域Ｒ２１と、トップランキングを表示する領域Ｒ２２と、このトレーダーのフォロワーを表示する領域Ｒ２３と、このトレーダーの投資割合を表示する領域Ｒ２４とを含む。また、トレーダー用のホーム画面は、フォロワー用のホーム画面と同様に、表示する通貨単位を切り替える切り替えボタンＢ２１を含む。
【００８８】
領域Ｒ２１は、トレーダーの獲得報酬（インセンティブ）及びフォロワー数を棒グラフ及び折れ線グラフでそれぞれ表示する。時間軸（横軸）のスケールは、月単位、週単位、日単位等の中から選択可能である。なお、トレーダーの獲得報酬（インセンティブ）は、インセンティブ付与部１１０により管理される。また、フォロワー数は、ユーザ関連付け部１０２により管理される。
【００８９】
領域Ｒ２２は、フォロワー用のホーム画面と同様に、ランキング生成部１０５により生成されたトレーダーのランキングのうち、上位所定数のトレーダーを表示する。表示するランキングは、利益率のランキング、利益額のランキング、トレーダー数のランキングの中から選択可能である。
【００９０】
領域Ｒ２３は、トレーダーをフォローしている各フォロワーの投資額及び仮想通貨取引所を表示する。投資額は、このトレーダーについてのコピートレードにおける投資額である。表示するフォロワーは、仮想通貨取引所単位で選択可能である。なお、フォロワーとトレーダーとの関連付けは、ユーザ関連付け部１０２により管理される。
【００９１】
領域Ｒ２４は、自身をフォローしているフォロワーの投資金額合計と、各フォロワーの投資金額の割合とを表示する。
【００９２】
（４．３）取引所設定画面の一例
図８は、ユーザが仮想通貨取引所を設定するための取引所設定画面の一例を示す図である。
【００９３】
図８に示すように、取引所設定画面は、仮想通貨取引代行装置１が対応可能な仮想通貨取引所ごとに設けられた領域Ｒ３１、Ｒ３２、Ｒ３３を含む。領域Ｒ３１は仮想通貨取引所Ａに対応する領域であり、領域Ｒ３２は仮想通貨取引所Ｂに対応する領域であり、領域Ｒ３３は仮想通貨取引所Ｃに対応する領域である。
【００９４】
領域Ｒ３１は、仮想通貨取引所Ａに取引口座を開設するためのボタンＢ３１を含む。このボタンＢ３１が操作されると、取引口座の開設画面に遷移する。また、領域Ｒ３１は、仮想通貨取引所Ａの取引口座にアクセスするためのＡＰＩアクセスキー及びシークレットアクセスキーを入力するための入力欄Ｅ３１、Ｅ３２と、この取引口座との連携／連携解除をするためのボタンＢ３３とを含む。ＡＰＩアクセスキー及びシークレットアクセスキーが入力された状態でボタンＢ３３が操作されると、これらのキーが正当なものであれば口座連携が開始される。口座連携が開始された後、ボタンＢ３３が操作されると、口座連携が解除される。
【００９５】
ユーザが自身をトレーダーとして登録している場合、フォロワーの上限数（フォロー上限数）やフォロワーの投資可能額（下限額、上限額）の設定を変更するためのボタンＢ３３が表示される。このボタンＢ３３が操作されると、図９に示す取引所設定の変更画面が表示される。図９に示すように、取引所設定の変更画面は、フォロー上限数を入力するための入力欄Ｅ４１と、フォロワーの最低投資額を入力するための入力欄Ｅ４２と、フォロワーの最高投資額を入力するための入力欄Ｅ４３とを含む。なお、かかる変更画面により設定が変更されない場合には、デフォルトのフォロー上限数及び投資可能額が自動的に設定される。
【００９６】
（４．４）トレーダーランキング画面の一例
図１０は、トレーダーランキング画面の一例を示す図である。
【００９７】
図１０に示すように、トレーダーランキング画面は、過去一定期間におけるトレーダーの利益率（又は利益額）をランキング形式で表示する領域Ｒ５１を含む。図１０において、この過去一定期間の長さが３０日間（１ヶ月）である場合を例示しているが、この過去一定期間の長さは、累計/過去30日/デイリー（当日）の3種類の中から変更可能である。また、トレーダーランキング画面は、表示するトレーダーを仮想通貨取引所単位で選択するためのチェックボックスＣ５１、Ｃ５２、Ｃ５３を含む。図１０において、仮想通貨取引所Ａ、Ｂ、Ｃの３つが選択された状態を例示している。さらに、トレーダーランキング画面は、フォロワー数が上限値に達しているユーザを除外して表示するためのチェックボックスＣ５４を含む。図１０において、チェックボックスＣ５４がチェックされていない状態を例示している。
【００９８】
領域Ｒ５１は、トレーダーごとに、トレーダーのアイコン、ニックネーム、利益率、利益額、フォロワー数、リスク（リスク指標値）を表示する。トレーダーのアイコンには、このトレーダーが取引口座を有する仮想通貨取引所を表すシンボルが付されている。図１０において、フォロワー数の上限値が５０に一律に設定されている場合を例示している。リスク（リスク指標値）は、リスクが高いほど強調して表示される。例えば、リスク指標値が最大の５である場合には赤色で表示され、リスク指標値が４である場合にはオレンジ色で表示され、リスク指標値が３以下の場合にはグレーで表示される。
【００９９】
また、領域Ｒ５１において、フォロワー数が上限値に達していないトレーダーについてのみ、「フォローする」のボタンが表示される。フォロワーがトレーダーを選択して、このボタンを操作すると、図１１に示すフォロー登録画面に遷移する。図１１に示すように、フォロー登録画面は、選択されたトレーダーについてのコピートレードにおける投資額を入力するための入力欄Ｅ６１と、利益も投資にまわすか否かを選択するためのチェックボックスＣ６１とを含む。
【０１００】
（４．５）フォローリスト画面の一例
図１２は、フォロワーが用いるフォローリスト画面の一例を示す図である。
【０１０１】
図１２に示すように、フォローリスト画面は、このフォロワーがフォロー中のトレーダーの一覧を表示する領域Ｒ７１と、このフォロワーがお気に入りとして登録しているユーザの一覧を表示する領域Ｒ７２とを含む。なお、お気に入りとは、フォロワーがフォロー中ではない（すなわち、トレーダーとして選択していない）ユーザであって、将来的にトレーダーとして選択できるようにフォロワーによりピックアップされたユーザをいう。
【０１０２】
（４．６）推奨トレーダー提案画面の一例
図１３は、実施形態に係る推奨トレーダー提案画面の一例を示す図である。
【０１０３】
図１３に示すように、推奨トレーダー提案画面は、フォロワーの未運用資金を表示する領域Ｒ８１と、フォロワーにフォローを推奨する未フォローの推奨トレーダー及び追加投資を推奨するフォロー中のトレーダーを表示する領域Ｒ８２とを含む。
【０１０４】
領域Ｒ８２において、推奨トレーダーごとに、トレーダーのアイコン、ニックネーム、利益率、利益額、フォロワー数、リスク（リスク指標値）を表示する。トレーダーのアイコンには、このトレーダーが取引口座を有する仮想通貨取引所を表すシンボルが付されている。図１３において、フォロワー数の上限値が５０に一律に設定されている場合を例示している。リスク（リスク指標値）は、リスクが高いほど強調して表示される。例えば、リスク指標値が最大の５である場合には赤色で表示され、リスク指標値が４である場合にはオレンジ色で表示され、リスク指標値が３以下の場合にはグレーで表示される。
【０１０５】
また、領域Ｒ８２において、フォローを推奨する未フォローの推奨トレーダーには、「フォローする」のボタンが表示される。フォロワーがトレーダーを選択して、このボタンを操作すると、図１１のフォロー登録画面に遷移する。さらに、領域Ｒ８２において、追加投資を推奨するフォロー中のトレーダーには、「フォロー中」のボタンが表示される。フォロワーがトレーダーを選択して、このボタンを操作すると、図１１のフォロー登録画面に遷移し、フォロワーが投資額を変更可能にする。
【０１０６】
（５）動作フローの一例
図１４は、仮想通貨取引代行装置１の動作フローの一例を示す図である。
【０１０７】
図１４に示すように、ステップＳ１において、ユーザは、自身の端末装置１０を用いて、例えば図７の取引所設定画面における口座開設ボタンＢ３１を操作することにより、仮想通貨取引所に取引口座を開設し、この取引口座に法定通貨（ここでは、日本円）を入金する。
【０１０８】
ステップＳ２において、仮想通貨取引代行装置１は、ユーザが図７の取引所設定画面において入力した口座認証情報（ＡＰＩアクセスキー、シークレットアクセスキー）を取得し、対応する仮想通貨取引所の取引口座にアクセスする。アクセス成功すると、仮想通貨取引代行装置１は、このユーザの識別情報と共に取引所情報及び口座認証情報を登録し、この取引口座との連携を開始する。なお、ユーザは、デフォルトの状態ではフォロワーとして扱われる。ユーザがトレーダー登録をすることにより、このユーザはトレーダーとして登録される。ここでは、このユーザがトレーダー登録をしていないと仮定して説明を進める。
【０１０９】
ステップＳ３において、仮想通貨取引代行装置１は、図１０に示すトレーダーランキング画面をユーザの端末装置１０に表示させる。仮想通貨取引代行装置１は、ユーザがトレーダーを選択して「フォローする」ボタンを操作すると、選択されたトレーダーをユーザ（フォロワー）と関連付けて登録する。
【０１１０】
ステップＳ４において、仮想通貨取引代行装置１は、選択されたトレーダーの取引情報を、このトレーダーが取引口座を有する仮想通貨取引所から取得する。
【０１１１】
ステップＳ５において、仮想通貨取引代行装置１は、取得した取引情報に基づいて、トレーダーが行った取引内容に対応する仮想通貨取引を、フォロワーの取引口座により自動実行する。
【０１１２】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１１３】
上述の実施形態において、投資取引代行システムにおける取引対象が仮想通貨である一例を説明したしかしながら、本発明は取引対象を仮想通貨に限定するものではなく、為替取引や株式取引等の他の電子取引を対象としてコピートレードを行ってもよい。
【０１１４】
上述の実施形態において仮想通貨取引代行装置１が行うと説明した処理の少なくとも一部を、端末装置１０及び／又は仮想通貨取引所２０が行うように変形してもよい。
【０１１５】
上述の実施形態において仮想通貨取引代行装置１が行うと説明した処理の少なくとも一部をプログラムにより実装してもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１１６】
このように本発明は、ここでは記載していない様々な実施形態等を包含するということを理解すべきである。
【符号の説明】
【０１１７】
１        ：仮想通貨取引代行装置
２        ：通信ネットワーク
１０      ：端末装置
２０      ：仮想通貨取引所
１００    ：処理部
１０１    ：ユーザ情報登録部
１０２    ：ユーザ関連付け部
１０３    ：取引情報取得部
１０４    ：取引実行部
１０５    ：ランキング生成部
１０６    ：推奨ユーザ提案部
１０６ａ  ：参照ユーザ数取得部
１０６ｂ  ：残高情報取得部
１０６ｃ  ：最低投資額取得部
１０６ｄ  ：推奨候補ユーザ選択部
１０６ｅ  ：最高投資額取得部
１０６ｆ  ：推奨参照ユーザ選択部
１０７    ：リスク判定部
１０８    ：利益取引設定部
１０９    ：選択禁止部
１１０    ：インセンティブ付与部
１１１    ：表示制御部
２００    ：通信部
３００    ：記憶部
【図１】
2019185270.tif 000004
【図２】
2019185270.tif 000005
【図３】
2019185270.tif 000006
【図４】
2019185270.tif 000007
【図５】
2019185270.tif 000008
【図６】
2019185270.tif 000009
【図７】
2019185270.tif 000010
【図８】
2019185270.tif 000011
【図９】
2019185270.tif 000012
【図１０】
2019185270.tif 000013
【図１１】
2019185270.tif 000014
【図１２】
2019185270.tif 000015
【図１３】
2019185270.tif 000016
【図１４】
2019185270.tif 000017